(57)【要約】【課題】ハーフミラー層を備えた窓部材を介して表示部及び報知部の光を筐体の外方まで到達させるハーフミラー表示装置において、表示部や報知部の２重映りを抑制すると共に報知部の視認性を向上できるようにする。【解決手段】筐体３と、該筐体３内部に設けられ、発光により各種情報を表示する表示部及び発光により各種情報を報知する報知部１５と、前記筐体３に取り付けられると共に、前記表示部及び前記報知部１５から発した光を前記筐体３の外方に通過させる窓部材３１とを備え、該窓部材３１は、着色透明板３３と、該着色透明板３３のうち前記筐体３の外方に面する外面３３ａに設けられたハーフミラー層３９と、前記着色透明板３３の外面３３ａと反対側の内面３３ｂのうち前記報知部１５と対向する位置に設けられた拡散層３７とを有することを特徴とするハーフミラー表示装置４１を提供する。【選択図】図５
2007202076.tif 000002
【特許請求の範囲】
【請求項１】
筐体と、該筐体内部に設けられ、発光により各種情報を表示する表示部及び発光により各種情報を報知する報知部と、前記筐体に取り付けられると共に、前記表示部及び前記報知部から発した光を前記筐体の外方に通過させる窓部材とを備え、
該窓部材は、着色透明板と、該着色透明板のうち前記筐体の外方に面する外面に設けられたハーフミラー層と、前記着色透明板の外面と反対側の内面のうち前記報知部と対向する位置に設けられた拡散層とを有することを特徴とするハーフミラー表示装置。
【請求項２】
前記拡散層は、乳白色を呈していることを特徴とする請求項１に記載のハーフミラー表示装置。
【請求項３】
請求項１又は請求項２のいずれか１項に記載のハーフミラー表示装置を備えることを特徴とする携帯電子機器。
【発明の詳細な説明】
【技術分野】
【０００１】
この発明は、筐体内部に発光により各種情報を表示及び報知する発光部を設けたハーフミラー表示装置及びこれを備える携帯電子機器に関する。
【背景技術】
【０００２】
従来、筐体内部に発光により各種情報を表示するＬＣＤ（Liquid Crystal Display）や有機ＥＬ（Electro Luminescence）等の発光部としての表示部を設けた表示装置としては、透明板にハーフミラー層を積層した窓部材を構成すると共に、表示部を覆うように上記窓部材を筐体に取り付けた所謂ハーフミラー表示装置がある（例えば、特許文献１参照。）。また、この種のハーフミラー表示装置としては、上記表示部の他に、発光により着信等の各種情報を報知するＬＥＤ（発光ダイオード）等、単体の発光素子からなる発光部としての報知部を筐体内部に設けたものがある。なお、ハーフミラー表示装置が上述した表示部及び報知部を備える場合には、ハーフミラー表示装置の外観意匠及び構成部品点数の観点から、報知部も表示部と共に上記窓部材により覆われることが好ましい。
この種のハーフミラー表示装置では、ハーフミラー層において筐体の内部から外方に向かう光のみを透過させているため、表示部や報知部が発光した場合にのみ、その発光を筐体の外方から視認することができ、発光しない場合には、表示部や報知部を視認することができないようになっており、鏡として利用できるようになっていた。
【特許文献１】特開２０００−１９６７１８号公報
【発明の開示】
【発明が解決しようとする課題】
【０００３】
ところで、表示部や報知部が発した光の一部は、ハーフミラー層と表示部や報知部との間で反射を繰り返した後に筐体の外方に向かうため、表示部や報知部からの光が２重に映るという不具合が発生する。この２重映りは、例えば、透明板の代わりに所定の光量を吸収するスモーク材を使用することで抑制することができる。すなわち、上記反射光は表示部や報知部から窓部材に直接入射される光よりも輝度が低いため、この反射光をスモーク材において吸収することができる。
しかしながら、窓部材がスモーク材を含む構成である場合には、報知部から窓部材を透過して直接筐体の外方に到達する光の一部もスモーク材において吸収されるため、筐体の外方からは報知部の光が小さな点として視認されることになる。すなわち、報知部の光の視認領域が狭くなり、報知部の視認が困難となるという問題がある。
【０００４】
この発明は、上述した事情に鑑みてなされたものであって、表示部や報知部の発光による２重映りを抑制すると共に、報知部の視認性を向上できるハーフミラー表示装置、及び、これを備えた携帯電子機器を提供することを目的としている。
【課題を解決するための手段】
【０００５】
上記課題を解決するために、この発明は以下の手段を提案している。
本発明に係るハーフミラー表示装置は、筐体と、該筐体内部に設けられ、発光により各種情報を表示する表示部及び発光により各種情報を報知する報知部と、前記筐体に取り付けられると共に、前記表示部及び前記報知部から発した光を前記筐体の外方に通過させる窓部材とを備え、該窓部材は、着色透明板と、該着色透明板のうち前記筐体の外方に面する外面に設けられたハーフミラー層と、前記着色透明板の外面と反対側の内面のうち前記報知部と対向する位置に設けられた拡散層とを有することを特徴とする。
なお、報知部とは、各種情報を点灯や点滅により報知するものであり、単体の発光素子により構成されるものを示している。また、表示部とは、文字、記号、図形等の各種情報を表示するものを示している。
【０００６】
また、本発明に係るハーフミラー表示装置は、前記拡散層が乳白色を呈することを特徴とする。
さらに、本発明に係る携帯電子機器は、前記ハーフミラー表示装置を備えることを特徴とする。
【発明の効果】
【０００７】
この発明によれば、報知部から発した光は、窓部材の着色透明板、ハーフミラー層及び拡散層を透過してから筐体の外方に向かうことになる。ここで、上記光は、着色透明板においてその一部が吸収されるとしても、拡散層において拡散された状態で筐体の外方に向かうため、筐体の外方における上記光の視認領域が拡大することになる。したがって、報知部の視認性向上を図ることができる。
なお、報知部や表示部から発した光の一部はハーフミラー層において反射するが、この反射光は、報知部や表示部から窓部材に直接入射される光よりも輝度が低くなるため、着色透明板において吸収されやすくなる。したがって、この反射光が筐体の外方に到達することを抑制して、報知部及び表示部の発光による２重映りが発生することも抑制できる。
【発明を実施するための最良の形態】
【０００８】
図１から図５は本発明に係る一実施形態を示しており、ここで説明する実施の形態は、この発明を携帯電話機に適用した場合のものである。
図１に示すように、この実施の形態に係る携帯電話機（携帯電子機器）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【０００９】
第１の筐体２の内部には、通話キー、終話キー等の各種の押圧可能な操作キー６を備えたキー操作部７及び通話用のマイクロフォン部９が設けられている。
キー操作部７の各操作キー６は、２つの筐体２，３を相互に重ね合わせた状態において第２の筐体３に対向する第１の筐体２の対向面２ｃから外方に露出している。マイクロフォン部９は、基端部２ａとは反対側に位置する第１の筐体２の先端部２ｂ側に配されており、第１の筐体２の対向面２ｃから第１の筐体２の内部空間に貫通する開口部２ｄを介して外方と連通するようになっている。
【００１０】
また、図１，２に示すように、第２の筐体３の内部には、文字、記号、図形等の各種情報を表示する表示面１１ａ，１３ａを有する２つの表示部１１，１３、通話の着信、電子メールの受信、アラーム等の各種情報を点灯や点滅により報知する複数の報知部１５、及び、通話用のスピーカ部１７が設けられている。
第１の表示部１１は、ＬＣＤ、有機ＥＬディスプレイ、無機ＥＬディスプレイ等により構成されており、その表示面１１ａは、２つの筐体２，３を相互に重ね合わせた状態において第１の筐体２に対向する第２の筐体３の対向面３ｃから外方に露出している。スピーカ部１７は、基端部３ａとは反対側に位置する第２の筐体３の先端部３ｂに配されており、第２の筐体３の対向面３ｃから第２の筐体３の内部空間に貫通する開口部３ｄを介して外方と連通するようになっている。
【００１１】
また、第２の表示部１３は、対向面３ｃとは反対側に位置する第２の筐体３の外面３ｅから外方に向けて発光するバックライト（不図示）を備えたＬＣＤにより構成されている。そして、第２の表示部１３の表示面１３ａは、２つの筐体２，３の開閉状態にかかわらず、第２の筐体３の外面３ｅから外方に向けて配置されている。
さらに、各報知部１５は、ＬＥＤ等の単体の発光素子により構成されており、第２の表示部１３と同様に第２の筐体３の外面３ｅから外方に向けて発光するようになっている。これら複数の報知部１５は、第２の表示部１３を囲むように、第２の筐体３の外面３ｅの周縁に配置されている。
【００１２】
この第２の筐体３は、第２の筐体３の対向面３ｃ側を構成するフロントケース１９、及び、第２の筐体３の外面３ｅ側を構成するリアケース２１を備えている。これらフロントケース１９及びリアケース２１は、互いに第２の筐体３の厚さ方向に結合可能となっている。そして、図３〜５に示すように、第２の筐体３の内部には、上述したものの他に、第２の表示部１３や複数の報知部１５等と電気的に接続された回路基板２３が配されている。なお、各報知部１５は、リアケース２１に対向する回路基板２３の表面２３ａに配置されている。
【００１３】
上述したリアケース２１には、その外面３ｅから第２の筐体３の厚さ方向に窪む収容凹部２５が形成されている。そして、収容凹部２５には、その底壁面２５ａから第２の筐体３の内部空間に貫通する平面視略矩形の第１の開口部２７が形成されている。前述した第２の表示部１３の表示面１３ａは、この第１の開口部２７に対向して配置されている。また、収容凹部２５には、その底壁面２５ａから第２の筐体３の内部空間に貫通する第２の開口部２９が報知部１５と同数形成されている。複数の報知部１５は、それぞれ第２の開口部２９に対向して配置されている。
【００１４】
収容凹部２５には、略板状に形成された窓部材３１が収容して固定されており、この窓部材３１によってリアケース２１の第１の開口部２７及び第２の開口部２９が閉塞されることになる。
窓部材３１は、図４，５に示すように、半透明に形成された略板状のスモーク材（着色透明板）３３と、収容凹部２５の底壁面２５ａに対向するスモーク材３３の下端面（内面）３３ｂに印刷される目隠し層３５と、第２の開口部２９に対向するスモーク材３３の下端面３３ｂに印刷される拡散層３７と、第２の筐体３の外面３ｅに連なるスモーク材３３の上端面（外面）３３ａに積層されたハーフミラー層３９とを備えている。すなわち、この窓部材３１は、第２の表示部１３の表示面１３ａにスモーク材３３を対向させるように、また、各報知部１５に拡散層３７を対向させるように構成されている。
【００１５】
目隠し層３５は、収容凹部２５の底壁面２５ａがスモーク材３３を介して外方側から視認されないように、光が透過しない材料により形成されており、例えば黒色に着色されている。
また、目隠し層３５のうち第２の開口部２９に対向する部分には、孔３５ａが形成されている。この孔３５ａの大きさは第２の開口部２９の大きさよりも小さく形成されている、すなわち、孔３５ａの周縁は、第２の開口部２９の周縁よりも内側に配されている。これにより、第２の開口部２９の周縁形状が第２の筐体３の外方から視認されることを確実に防止でき、見栄えを高めることができる。
【００１６】
スモーク材３３は、光が透過可能な材料により形成されると共に、所定の色に着色されている。すなわち、このスモーク材３３は、所定の色に着色することで、これに入射された光の一部が拡散などによって吸収されるように構成されている。スモーク材３３の色としては、第２の表示部１３に表示される各種情報の発光色や報知部１５の発光色とのコントラストが大きくなるものが好ましく、例えば第２の表示部１３や報知部１５の発光色が白色である場合には黒色とすることが好ましい。
また、上記スモーク材３３における光の吸収量は、スモーク材３３に着色される色の濃さやスモーク材３３の厚さ寸法に応じて変化する。すなわち、このスモーク材３３の色が濃い程若しくはスモーク材３３の厚さ寸法が大きい程、光の吸収量は多くなる。
【００１７】
ハーフミラー層３９は、その表面に銀色、黒色、赤色等の所定の色で着色された着色層（不図示）を薄膜状に形成して構成されており、ハーフミラー層３９における光の反射率は、上述した着色層の色に応じて変化する。すなわち、ハーフミラー層３９の反射率は、着色層の色を銀色とした場合に最も高くなり、以下黒色、赤色の順番で低くなる。また、着色層の色を銀色とした場合には、黒色や赤色とした場合と比較して光の透過率が低くなる。
拡散層３７は、半透明の乳白色に着色されており、報知部１５から発した光を第２の筐体３の外方に向けて拡散できるように構成されている。この拡散層３７は、第２の開口部２９を介して報知部１５に対向して配置されるように印刷されている。なお、拡散層３７の周縁は、孔３５ａの周縁に位置する目隠し層３５に積層されており、これにより、拡散層３７と目隠し層３５との間に隙間が形成されることを確実に防止することができる。また、目隠し層３５の孔３５ａの大きさを設定することで、拡散層３７において拡散される報知部１５の光の大きさ、すなわち、第２の筐体３の外方から視認される報知部１５の光の視認領域の大きさを容易に設定することも可能となる。
【００１８】
なお、報知部１５から発した光は上述した拡散層３７において拡散されるため、拡散層３７を介して第２の筐体３の外方に向かう光の輝度は低くなる。また、拡散層３７を透過した報知部１５の光の一部は、スモーク材３３において吸収されたり、ハーフミラー層３９において反射される。以上のことから、乳白色に着色される拡散層３７の濃淡は、拡散された報知部１５の光がスモーク材３３及びハーフミラー層３９を透過できる程度に設定されることが好ましい。
以上のように構成された窓部材３１と、この窓部材３１に光を入射する第２の表示部１３及び複数の報知部１５と、第２の表示部１３及び報知部１５を内部に設ける第２の筐体３とにより、ハーフミラー表示装置４１が構成される。
【００１９】
次に、このハーフミラー表示装置４１における作用を以下に説明する。
第２の表示部１３のバックライトや各報知部１５が発光しない状態においては、第２の筐体３の外方から窓部材３１に入射される光がハーフミラー層３９において反射するため、第２の筐体３の外方から第２の表示部１３や第２の筐体３の内部を視認することはできない。
そして、第２の表示部１３のバックライトが発光した場合には、この光がスモーク材３３及びハーフミラー層３９を順次透過して第２の筐体３の外方に向かう。これにより、第２の表示部１３に表示された各種情報の視認が可能となる。
また、報知部１５が発光した場合には、その光が拡散層３７、スモーク材３３及びハーフミラー層３９を順次透過して第２の筐体３の外方に向かう。この際には、報知部１５の光が拡散層３７において拡散されるため、第２の筐体３の外方から視認される上記光の視認領域が拡大することになる。
【００２０】
なお、第２の表示部１３から発した光の一部は、ハーフミラー層３９において反射し、この反射光が第２の表示部１３の表示面１３ａにおいて再度反射する。ここで、上述した反射光は、第２の表示部１３の表示面１３ａやハーフミラー層３９において反射する毎にスモーク材３３を通過するため、スモーク材３３において吸収されて反射光の輝度が低くなる。
また、報知部１５から発した光の一部もハーフミラー層３９において反射して報知部１５に向かうが、この反射光はスモーク材３３において吸収されてその輝度が低くなると共に拡散層３７において再度拡散されるため、報知部１５において再度反射することはない。
【００２１】
なお、ハーフミラー層３９を構成する着色層の色を銀色とした場合には、黒色や赤色とした場合と比較してハーフミラー層３９における光の反射率が高くなるため、第２の表示部１３や報知部１５から発した光がハーフミラー層３９において反射する光の輝度も高くなる。この反射光の輝度を低く抑えるためには、上述したスモーク材３３における光の吸収量を増やせばよい、すなわち、スモーク材３３の色を濃くしたり、スモーク材３３の厚さ寸法を大きくすればよい。
ただし、スモーク材３３における光の吸収量を増やすと、第２の表示部１３や報知部１５から窓部材３１を介して直接第２の筐体３の外方に到達する光の輝度も低くなるため、スモーク材３３の色の濃さや厚さ寸法は、第２の表示部１３の表示面１３ａに表示される各種情報や報知部１５の発光の視認性を十分に確保できる程度に設定されることが好ましい。
【００２２】
すなわち、スモーク材３３、拡散層３７及びハーフミラー層３９の好ましい組み合わせとしては、以下のものが挙げられる。
例えば、ハーフミラー層３９の色が銀色（透過率２５％）である場合には、スモーク材３３としては商品名「デルベットＡＫ１０２  ６０ＮＫＭ９０３７０」（旭化成ケミカルズ株式会社）のものでｔ＝２．０〜２．５相当のものを使用し、拡散層３７としては「株式会社きもと」の１００ＳＸ相当のものを使用する。また、例えば、ハーフミラー層３９の色が黒色（透過率３０％）である場合には、スモーク材３３としては商品名「デルベットＡＫ１０２  ６０ＮＫＭ９０３７０」（旭化成ケミカルズ株式会社）のものでｔ＝１．５〜２．０相当のものを使用し、拡散層３７としては「株式会社きもと」の１００ＳＸ相当のものを使用する。さらに、例えば、ハーフミラー層３９の色が赤色（透過率３０％）である場合には、スモーク材３３としては商品名「デルベットＡＫ１０２  ６０ＮＫＭ９０３７０」（旭化成ケミカルズ株式会社）のものでｔ＝１．０〜１．５相当のものを使用し、拡散層３７としては「株式会社きもと」の１００Ｓ相当のものを使用する。
なお、上述した「ｔ」は、スモーク材３３の濃さを示すものであり、スモーク材３３の厚さに相当する。
【００２３】
上記のように、この携帯電話機１によれば、報知部１５から発した光は拡散層３７において拡散された後に、第２の筐体３の外方に向かうため、第２の筐体３の外方における上記光の視認領域が拡大することになり、報知部１５の視認性向上を図ることができる。
また、報知部１５から発した光の一部は、ハーフミラー層３９において反射してもスモーク材３３において吸収されると共に拡散層３７において拡散されるため、報知部１５において再反射して第２の筐体３の外方に到達することを防止できる。さらに、第２の表示部１３から発した光の一部は、ハーフミラー層３９や第２の表示部１３の表示面１３ａにおいて反射してスモーク材３３を通過する毎に、スモーク材３３において効率よく吸収されるため、この反射光が第２の筐体３の外方に到達することを防止できる。したがって、第２の表示部１３や報知部１５の発光によって２重映りが発生すること防ぐことができる。
【００２４】
また、拡散層３７は、乳白色に着色されているため、報知部１５の光の吸収を最低限に抑えながら報知部１５の光を効率よく拡散することができる。
さらに、拡散層３７を報知部１５に対向して配置することで、報知部１５から発した光は、拡散層３７において拡散された後にスモーク材３３やハーフミラー層３９に入射されるため、スモーク材３３やハーフミラー層３９において上記光の輝度が低下する前に上記光を拡散することが可能となる。また、この拡散層３７は、スモーク材３３やハーフミラー層３９により覆い隠されて第２の筐体３の外方から視認し難くなるため、良好な外観意匠を有する窓部材３１を備えた携帯電話機１を提供することができる。
【００２５】
さらに、ハーフミラー層３９が第２の筐体３の外面３ｅ側に位置するスモーク材３３の上端面３３ａに配置されるため、外方からの光はハーフミラー層３９において反射し、スモーク材３３に入射されることがない。すなわち、窓部材３１の表面が第２の筐体３の外面３ｅに滑らかに連なるように見せることができるため、奥行き感のない良好な外観意匠を有する携帯電話機１を提供することができる。
【００２６】
なお、上記実施形態において、スモーク材３３の下端面３３ｂに印刷される拡散層３７は、乳白色に着色されるとしたが、これに限ることはなく、少なくとも報知部１５から発した光を第２の筐体３の外方に向けて拡散できるように構成されていればよい。すなわち、拡散層３７は、他の色に着色されるとしても構わないし、着色した色の濃淡をメジウム等により調整したもので構成してもよい。
また、拡散層３７は、スモーク材３３の下端面３３ｂに印刷して構成されるとしたが、これに限ることはなく、少なくとも報知部１５から発した光を第２の筐体３の外方に向けて拡散できるように構成されていればよい。すなわち、拡散層３７は、例えば、スモーク材３３の下端面３３ｂに貼り付けられる磨りガラスにより構成されるとしてもよい。
【００２７】
さらに、拡散層３７は、スモーク材３３の下端面３３ｂに配置されるとしたが、これに限ることはなく、少なくとも報知部１５とスモーク材３３の厚さ方向に重なる位置に配されていればよく、例えば、スモーク材３３の上端面３３ａ側に配置されるとしても構わない。
この構成の場合には、第２の表示部１３の場合と同様に、報知部１５から発光してハーフミラー層３９において反射する反射光が報知部１５において再度反射することになるが、上記光はハーフミラー層３９や報知部１５で反射する毎にスモーク材３３を通過するため、スモーク材３３において反射光を効率よく吸収できる。したがって、報知部１５の発光によって２重映りが発生することを防ぐことができる。
【００２８】
また、ハーフミラー層３９は、スモーク材３３の上端面３３ａに配置されるとしたが、これに限ることはなく、例えば、第２の表示部１３の表示面１３ａに対向する下端面３３ｂに配置されるとしても構わない。なお、この場合、スモーク材３３の下端面３３ｂのうち、目隠し層３５や拡散層３７が形成されている部分については、ハーフミラー層３９をスモーク材３３と目隠し層３５や拡散層３７との間に配置しておく。
上記構成の場合には、第２の表示部１３や報知部１５の光の一部が、スモーク材３３に入射する前にハーフミラー層３９において反射することになるが、このようにハーフミラー層３９において反射された光は、ハーフミラー層３９を透過した光よりも輝度が低くなるため、この反射光が第２の表示部１３の表示面１３ａや報知部１５において再度反射してからハーフミラー層３９を透過してスモーク材３３に入射された際に、このスモーク材３３において吸収されることになる。したがって、上記反射光が第２の筐体３の外方に到達することを抑制して、２重映りが発生することを抑制することができる。
【００２９】
ただし、上記構成においては、第２の筐体３の外方から窓部材３１に入射される光が、スモーク材３３を通過した後にハーフミラー層３９において反射し、この反射光はさらにスモーク材３３を通過してから第２の筐体３の外方に到達するため、反射光の輝度が低くなり、上記実施形態の構成と比較してハーフミラー層３９による鏡面効果は低くなる。
また、窓部材３１は目隠し層３５を備えるとしたが、スモーク材３３やハーフミラー層３９によって第２の筐体３の外方からの光を入射しにくいように構成されているため、特に目隠し層３５を備えなくても収容凹部２５の底壁面２５ａが外方側から視認されることを防止することができる。
【００３０】
さらに、第２の表示部１３は、ＬＣＤにより構成されるとしたが、これに限ることはなく、例えば、有機ＥＬディスプレイや無機ＥＬディスプレイにより構成されるとしても構わない。
また、上記実施形態においては、ヒンジ部５によって互いに連結された２つの筐体２，３を備える携帯電話機１について述べたが、これに限ることはなく、例えば、１つの筐体から構成される携帯電話機であっても構わない。また、携帯電話機に限らず、各種情報を表示する表示部を及び各種情報を発光により報知する発光部を備える携帯電子機器に適用することができ、例えば、ＰＤＡやノート型パーソナルコンピュータであってもよい。
【００３１】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３２】
【図１】この発明の一実施形態に係る携帯電話機の第１、第２の筐体を相互に開いた状態を示す概略斜視図である。
【図２】図１の携帯電話機において、第２の筐体の外面側を示す概略斜視図である。
【図３】図１の携帯電話機において、第２の筐体をフロントケース、リアケースに分解すると共に窓部材をリアケースから取り外した状態示す分解斜視図である。
【図４】図１の携帯電話機において、リアケース、第２の表示部及び窓部材の構成を示す拡大断面図である。
【図５】図１の携帯電話機において、リアケース、発光部及び窓部材の構成を示す拡大断面図である。
【符号の説明】
【００３３】
１  携帯電話機（携帯電子機器）
３  第２の筐体
１３  第２の表示部
１５  報知部
３１  窓部材
３３  スモーク材（着色透明板）
３３ａ  上端面（外面）
３３ｂ  下端面（内面）
３７  拡散層
３９  ハーフミラー層
４１  ハーフミラー表示装置
【図１】
2007202076.tif 000003
【図２】
2007202076.tif 000004
【図３】
2007202076.tif 000005
【図４】
2007202076.tif 000006
【図５】
2007202076.tif 000007